(57)【要約】      （修正有）【課題】ヒューマンマシンインターフェース（ＨＭＩ）にコマンドを入力するための操作ダイヤルを提供する。【解決手段】操作ダイヤルは、中立位置、中立位置から第１方向に傾けられた第１傾き位置Ｔ１、及び中立位置から第２方向に傾けられた第２傾き位置Ｔ２で、ベースダイヤル６０Ａを支持するように構成されたベースに搭載されるベースダイヤルを含む。第２方向は、第１方向と逆である。外側ダイヤルが、中立位置、第１傾き位置、及び第２傾き位置の各々にてＨＭＩにコマンドを入力するために回転可能であるように、外側ダイヤル６２Ａがベースダイヤルに回転可能に搭載される。【選択図】図４
2018120850.tif 000002
【特許請求の範囲】
【請求項１】
ヒューマンマシンインターフェース（ＨＭＩ）にコマンドを入力するための操作ダイヤルであって、
中立位置、前記中立位置から第１方向に傾けられた第１傾き位置、及び前記中立位置から第２方向に傾けられた第２傾き位置で、ベースダイヤルを支持するように構成されたベースに搭載されるベースダイヤルと、
前記第２方向は、前記第１方向と逆であり、
前記中立位置、前記第１傾き位置、及び前記第２傾き位置の各々にて、前記ＨＭＩにコマンドを入力するために外側ダイヤルが回転可能であるように、前記ベースダイヤルに回転可能に搭載された外側ダイヤルと、を備える操作ダイヤル。
【請求項２】
前記ベースは、さらに、前記中立位置から第３方向に傾けられた第３傾き位置、及び前記中立位置から第４方向に傾けられた第４傾き位置で、ベースダイヤルを支持するように構成され、前記第４方向は、前記第３方向と逆であり、前記第３及び第４方向は、前記第１及び前記第２方向に対して９０°であり、
前記外側ダイヤルは、前記第３傾き位置、及び前記第４傾き位置の各々にて、前記ＨＭＩにコマンドを入力するために回転可能である請求項１の操作ダイヤル。
【請求項３】
前記外側ダイヤル内に設置されたプッシュボタンをさらに備え、前記中立位置、前記第１傾き位置、及び前記第２傾き位置のいずれかの位置で前記プッシュボタンを押すことにより、前記ＨＭＩにコマンドを入力する請求項１の操作ダイヤル。
【請求項４】
前記外側ダイヤル内に設置されたプッシュボタンをさらに備え、前記中立位置、前記第１傾き位置、前記第２傾き位置、前記第３傾き位置、及び前記第４傾き位置のいずれかの位置で前記プッシュボタンを押すことにより、前記ＨＭＩにコマンドを入力する請求項２の操作ダイヤル。
【請求項５】
前記ベースは、前記第１の傾き位置、前記第２の傾き位置、前記第３の傾き位置、及び前記第４の傾き位置のそれぞれにおいて、前記ベースダイヤルをロックするように構成された請求項１の操作ダイヤル。
【請求項６】
前記ベースに搭載された複数のロック部材をさらに備え、前記複数のロック部材は、前記第１の傾き位置及び前記第２の傾き位置のそれどれの位置で前記ベースダイヤルをロックするために、前記ベースダイヤルの凹部と協働する請求項１の操作ダイヤル。
【請求項７】
前記ベースに配置される一次プリント回路基板に搭載された複数のセンサをさらに備え、前記第１方向に前記ベースダイヤルを傾けることにより、前記ベースダイヤルが前記第１方向に傾けられたことを示す第１信号を発生する、前記複数のセンサの第１センサを駆動し、前記第２方向に前記ベースダイヤルを傾けることにより、前記ベースダイヤルが前記第２方向に傾けられたことを示す第２信号を発生する、前記複数のセンサの第２センサを駆動する請求項２の操作ダイヤル。
【請求項８】
前記複数のセンサは、スイッチ、タクトスイッチ、双方向スイッチ、光センサ、ホール効果センサ、又はポテンショメータの１つ以上を含む請求項７の操作ダイヤル。
【請求項９】
外側ダイヤルがどのくらい回転されたか特定するように構成されたロータリセンサをさらに備える請求項１の操作ダイヤル。
【請求項１０】
前記ロータリセンサは、シャフトエンコーダ、ポテンショメータ、スイッチ、双方向スイッチ、タクトスイッチ、光センサ、ホール効果センサ、又はポテンショメータを含む請求項９の操作ダイヤル
【請求項１１】
前記ロータリエンコーダは、前記ベースダイヤルが、前記中立位置であるか、前記第１傾き位置であるか、又は前記第２傾き位置であるかを識別するための複数のスイッチが搭載された一次プリント回路基板から間隔が空けられた衛星プリント回路基板に搭載される請求項９の操作ダイヤル。
【請求項１２】
前記プッシュボタンが押下されたとき、プッシュボタン信号を発生するように構成されたプッシュボタンスイッチをさらに備える請求項３の操作ダイヤル。
【請求項１３】
前記プッシュボタンスイッチは、前記ベースダイヤルが、前記中立位置であるか、前記第１傾き位置であるか、又は前記第２傾き位置であるかを識別するための複数のスイッチが搭載された一次プリント回路基板から間隔が空けられた衛星プリント回路基板に搭載され、
前記衛星プリント回路基板は、前記一次プリント回路基板に接続される請求項１２の操作ダイヤル。
【請求項１４】
前記衛星プリント回路基板は、前記ベースダイヤルに固定される請求項１３の操作ダイヤル。
【請求項１５】
前記プッシュボタンのバックライト及び前記外側ダイヤルを囲むグローリングの照明の少なくとも１つのために、前記衛星プリント回路基板に搭載された少なくとも１つのＬＥＤをさらに備える請求項１４の操作ダイヤル。
【請求項１６】
前記第１の傾き位置において、前記ベースダイヤルは、前記中立位置に対して、１０°〜２０°の角度が付けられ、
前記第２の傾き位置において、前記ベースダイヤルは、前記中立位置に対して、１０°〜２０°の角度が付けられる請求項１の操作ダイヤル。
【請求項１７】
前記ベースダイヤルはボールジョイントを用いて前記ベースに搭載され、前記ボールジョイントのボールは、前記ベースのレセプタクル内に受容される請求項１の操作ダイヤル。
【請求項１８】
前記ボールジョイントは、前記第１傾き位置、前記第２傾き位置、第３傾き位置、及び第４傾き位置のいずれかの位置で前記ベースダイヤルを保持し、
前記第３傾き位置は、前記第４傾き位置と対向する請求項１７の操作ダイヤル。
【請求項１９】
前記外側ダイヤルの複数の回転クリック位置を定義するために、前記外側ダイヤルの内面に係合して、触覚的フィードバックを生成するデバイスをさらに備える請求項１の操作ダイヤル。
【請求項２０】
ヒューマンマシンインターフェース（ＨＭＩ）にコマンドを入力するための操作ダイヤルであって、
中立位置、前記中立位置から第１方向に傾けられた第１傾き位置、及び前記中立位置から第２方向に傾けられた第２傾き位置で、ベースダイヤルを支持するように構成されたベースに搭載されるベースダイヤルと、
前記第２方向は、前記第１方向と逆であり、
前記中立位置、前記第１傾き位置、及び前記第２傾き位置の各々にて、前記ＨＭＩにコマンドを入力するために外側ダイヤルが回転可能であるように、前記ベースダイヤルに回転可能に搭載された外側ダイヤルと、
前記ベースダイヤルが、前記中立位置であるか、前記第１傾き位置であるか、又は前記第２傾き位置であるかを識別するように構成された第１センサと、
前記外側ダイヤルが回転された距離を特定するように構成された第２センサと、
前記第１センサと前記第２センサからの信号を受信する回路基板と、を備え、
前記回路基板は、制御モジュールに信号を中継するように構成される操作ダイヤル。
【発明の詳細な説明】
【関連出願の相互参照】
【０００１】
この出願は、２０１６年１２月１６日に出願された米国仮出願番号６２／４３５３００の利益を主張する。米国仮出願番号６２／４３５３００の全開示は、ここに参照によって援用される。
【技術分野】
【０００２】
本開示は、ヒューマンマシンインターフェースのための、傾き及び回転ダイヤルに関する。
【背景技術】
【０００３】
この欄では、本開示に関連する背景情報を提供するが、それは、必ずしも公知の技術ではない。
【０００４】
従来の車両用ヒューマンマシンインターフェース（ＨＭＩ）システムは、典型的には、乗客室内のセンターコンソールに設置される。最近の傾向では、ＨＭＩシステムは様々な機能と出力を提示することが求められており、そのため、ＨＭＩシステムは、乗員からの種々の入力に応じる必要がある。多数の入力に応じるために、現行のＨＭＩは、典型的には、複数の入力スイッチ及びダイヤルのような、複数の入力装置を有している。そのため、多くの現行のＨＭＩシステムは煩雑であり、特に車両の運転中は操作が困難である。本開示は、有利にも、傾き及び回転ダイヤルの形態の改良されたＨＭＩ入力装置を含み、それらの各々は、多様な異なる入力コマンドを入力するためにユーザによって操作されることができ、有利にも、ＨＶＡＣシステム、娯楽システム、自動運転システムなどのような様々なシステムを操作するために必要とされるダイヤル及びスイッチの数を減少させる。本開示による傾き及び回転ダイヤルは、有利にも、車両の運転中も使用することが容易である。
【発明の開示】
【０００５】
この欄は、本開示の一般的な概要を提供するものであって、その範囲全体、または、その特徴の全てを包括的に開示するものではない。
【０００６】
本開示は、ヒューマンマシンインターフェース（ＨＭＩ）にコマンドを入力するための操作ダイヤルを提供する。操作ダイヤルは、中立位置、中立位置から第１方向に傾けられた第１傾き位置、及び中立位置から第２方向に傾けられた第２傾き位置で、ベースダイヤルを支持するように構成されたベースに搭載されるベースダイヤルを含む。第２方向は、第１方向と逆である。外側ダイヤルが、中立位置、第１傾き位置、及び第２傾き位置の各々にてＨＭＩにコマンドを入力するために回転可能であるように、ベースダイヤルに回転可能に搭載される。
【０００７】
さらなる適用可能分野は、本明細書の説明から明らかとなろう。本概要の説明及び具体例は単に例示を目的としており、本開示の範囲を限定することを意図していない。
【図面の簡単な説明】
【０００８】
本明細書に説明される図面は、選択された実施形態を図示する目的だけのためのものであり、全ての可能な実施例を示すものではなく、また、本開示の範囲を限定することを意図するものでもない。
【図１】代表的なヒューマンマシンインターフェース（ＨＭＩ）と関連して、本開示による傾き及び回転ダイヤルアッセンブリを示す。
【図２】本開示による代表的な傾き及び回転ダイヤルアッセンブリの斜視図である。
【図３】図２の３−３線に沿った断面図である。
【図４】図２の４−４線に沿った断面図である。
【図５】本開示による追加の傾き及び回転ダイヤルアッセンブリの斜視図である。
【図６】図５の６−６線に沿った断面図である。
【図７】図５の７−７線に沿った断面図である。
【図８】本開示による別の傾き及び回転ダイヤルアッセンブリの斜視図である。
【図９】図８のダイヤルアッセンブリの別の斜視図である。
【図１０】図８の１０−１０線に沿った断面図である。
【図１１】図８の１１−１１線に沿った断面図である。
【図１２】本開示の別の実施形態による、図８のダイヤルアッセンブリの断面図である。
【０００９】
複数の図面の図示にわたって、対応する参照番号は、対応する部分を指している。
【発明を実施するための形態】
【００１０】
以下、例示の実施形態が、添付図面を参照しながらより詳細に説明される。
【００１１】
図１は、参照番号１０で、本開示による傾き及び回転ダイヤルアッセンブリを図示している。ダイヤルアッセンブリ１０は、任意の適切なヒューマンマシンインターフェース（ＨＭＩ）１２と関連付けることができ、ユーザは、ＨＭＩ１２に任意の適切なコマンドを入力するために、ダイヤルアッセンブリ１０を操作することができる。図１の例では、車両の暖房、換気および空調（ＨＶＡＣ）システム用のＨＭＩ１２が図示されている。ダイヤルアッセンブリ１０は、任意の他の適切な車両又は非車両ＨＭＩにも同様に用いることができる。
【００１２】
ダイヤルアッセンブリ１０は、ＨＶＡＣシステム又はＨＭＩ１２が関連付けられる任意の他のシステムを動作させるのに適した任意の制御モジュール２０にＨＶＡＣ操作コマンドを入力するため、ユーザによって操作されるよう構成される。本出願において、「制御モジュール」との用語は、「回路」との用語に置き換えられてもよい。「制御モジュール」との用語は、コードを実行する（共有の、専用の、あるいはグループの）プロセッサハードウエアと、プロセッサハードウエアによって実行されるコードを格納する（共有の、専用の、あるいはグループの）メモリハードウエアとの一部として、もしくはそれらを含むものとして言及されてもよい。コードは、本明細書に説明されるモジュール、コントローラ及びシステムの特徴を与えるように構成される。メモリハードウエアとの用語は、コンピュータ可読媒体との用語のサブセットである。本明細書で使用されるように、コンピュータ可読媒体との用語は、（搬送波上などの）媒体を通って伝播する一時的な電気的又は電磁的信号を包含しない。それゆえ、コンピュータ可読媒体との用語は、実体的かつ非一時的であるとみなされる。非一時的コンピュータ可読媒体の非限定的な例は、（フラッシュメモリデバイス、消去可能なプログラム可能な読み出し専用メモリデバイス、又はマスク読み出し専用メモリデバイスなどの）不揮発性メモリデバイス、（スタティックランダムアクセスメモリデバイス又はダイナミックランダムアクセスメモリデバイスのような）揮発性メモリデバイス、（アナログ又はデジタル磁気テープあるいはハードディスクドライブなどの）磁気記憶媒体、及び（ＣＤ、ＤＶＤ、又はブルーレイディスクなどの）光記憶媒体である。
【００１３】
図示される例において、ダイヤルアッセンブリ１０は、例えば、所望の運転席側の温度、助手席側の温度、ファン回転数、及びＨＶＡＣモードを入力するためにユーザによって使用されることができる。ダイヤルアッセンブリ１０は、ＨＶＡＣシステム、又は任意の適切なＨＭＩによって制御される任意の適切なシステムの所望の動作に関して、制御モジュール２０に種々のコマンドを入力するために、有利にも、ユーザによって傾けられ、回転される（図２−４の構成では、押下される）ことができる。例えば、ダイヤルアッセンブリ１０は、運転席側の温度を制御するために方向Ｔ１に（左側に）ユーザによって傾けられ、助手席側温度を制御するために方向Ｔ２に（右側に）ユーザによって傾けられ、ＨＶＡＣモードを制御するために方向Ｔ３に（上方又は前方に）ユーザによって傾けられ、あるいはファン回転数を制御するために方向Ｔ４に（下方又は後方に）ユーザによって傾けられることができる。ダイヤルアッセンブリ１０は、各傾き方向Ｔ１、Ｔ２、Ｔ３、及びＴ４へ３０°など、中立位置から任意の適切な程度まで傾けられるように構成することができる。４つの傾き方向Ｔ１、Ｔ２、Ｔ３、Ｔ４が図示されたが、ダイヤルアッセンブリ１０は、４よりも多い、もしくは少ない任意の適切な傾き方向の数を含むことができる。例えば、本明細書に説明されるダイヤルアッセンブリ１０Ａ、１０Ｂは、方向Ｔ１、Ｔ２のみに傾くように構成される。本明細書に説明されるダイヤルアッセンブリ１０Ｃは、４つの傾き方向Ｔ１、Ｔ２、Ｔ３、及びＴ４へ傾くように構成される。
【００１４】
ユーザが傾き方向Ｔ１、Ｔ２、Ｔ３、及びＴ４の任意の１方向へダイヤルアッセンブリ１０を傾けると、ダイヤルアッセンブリ１０は自動的に傾けられた位置でロックし、従って、図１に示される中立位置へ自動的には復帰しない。ダイヤルアッセンブリ１０が中立位置にあるか、又は傾けられた位置のいずれかにあるとき、ダイヤルアッセンブリ１０の外側ダイヤルは、ＨＭＩ１２へ追加のコマンドを入力するために、ユーザによって回転されることができる。具体的には、外側ダイヤル６２Ａ（例えば、図２）、６２Ｂ（例えば、図５）、６２Ｃ（例えば、図８）は、選択された傾き位置Ｔ１、Ｔ２、Ｔ３、及びＴ４と関連付けられたコマンドを入力するために、ユーザによって回転されることができる。例えば、ダイヤルアッセンブリ１０が運転席側の温度を制御するために方向Ｔ１に傾けられたとき、外側ダイヤル６２Ａ、６２Ｂ、６２Ｃの回転により、運転席側の望ましい温度設定が変更される。ダイヤルアッセンブリ１０が助手席側の温度を制御するために方向Ｔ２に傾けられたとき、外側ダイヤル６２Ａ、６２Ｂ、６２Ｃの回転により、助手席側の望ましい温度設定が変更される。（図１に示されるように、ダイヤルアッセンブリ１０が傾き位置Ｔ１、Ｔ２、Ｔ３、又はＴ４のいずれにも傾けられていない）ダイヤルアッセンブリ１０が中立位置にあるときの外側ダイヤル６２Ａ、６２Ｂ、６２Ｃの回転により、運転席側と助手席側の両方の望ましい温度を同時に制御することができる。
【００１５】
ダイヤルアッセンブリ１０は、プッシュボタン６４Ａ（図２）を押下することにより、ユーザのコマンド入力を受け入れるように構成することもできる。具体的には、プッシュボタン６４Ａは、ＨＭＩ１２、特に制御モジュール２０へコマンドを入力するためのダイヤルアッセンブリ１０の傾き位置に係わらず、方向Ｐへ押下されてもよい。プッシュボタン６４Ａを押すことにより、次のものに限定されないが、ファンのオン／オフ、自動温度のオン／オフ、音量のミュート／ミュート解除、ラジオのオン／オフのような、任意の適切なコマンドを入力することができる。
【００１６】
このように、傾き及び回転ダイヤルアッセンブリ１０は、有利にも、現行のダイヤルアッセンブリに比較して拡張された機能を有し、単一のダイヤルアセンブリ１０を使用して複数のコマンドを入力することを可能にし、従って、追加のダイヤル及びスイッチの必要性を取り除く。複数のダイヤル及びスイッチを本開示のダイヤルアッセンブリ１０で置き換えることによって、ＨＭＩ操作部の数を減らすことができ、操作を簡素化し、他の機能のためのスペースが確保される。
【００１７】
図２から図４を参照して、本開示のダイヤルアッセンブリ１０をさらに詳細に説明する。図１のダイヤルアッセンブリ１０はダイヤルアッセンブリ１０Ａとして構成されてもよい。ダイヤルアッセンブリ１０Ａは、任意の適切な態様で、ＨＭＩ１２、もしくは、任意の適切な車両又は非車両システムのための他のＨＭＩに搭載されることができるケース又はベース５０Ａを含む。ダイヤルアッセンブリ１０Ａは、概して、ベースダイヤル６０Ａ、外側ダイヤル６２Ａ、及びプッシュボタン６４Ａを含む。ベースダイヤル６０Ａは、支持ポスト６６Ａ（図４）によって支持され、傾き方向Ｔ１、Ｔ２へ軸Ａ周りにユーザが傾けることができる。
【００１８】
第１プランジャ７０Ａと第２プランジャ７６Ａは、ベース５０Ａに搭載される。第１プランジャ７０Ａは、第１スプリング７２Ａ（図４）によって外側位置に付勢され、第２プランジャ７６Ａは、第２スプリング７８Ａ（図４）によって外側位置に付勢される。第１プランジャ７０Ａは、ベースダイヤル６０Ａの隆起部７４Ａ（図２、４）に接するように外側に付勢される。プランジャ７６Ａは、ベースダイヤル６０Ａの隆起部８０Ａ（図２、４）に接するように外側に付勢される。図２、４に示されるように、プランジャ７０Ａと隆起部７４Ａとの協働作用、並びにプランジャ７６Ａと隆起部８０Ａとの協働作用により、（外側ダイヤル６２Ａとプッシュボタン６４Ａとともに）ベースダイヤル６０Ａが中立位置に維持される。ユーザがベースダイヤル６０Ａを傾き方向Ｔ１又はＴ２に傾けたとき、プランジャ７０Ａ、７６Ａは、基部ダイヤル６０Ａを傾き方向Ｔ１又はＴ２のいずれか一方に保持（又は「ロック」）するために、それぞれ隆起部７４Ａ、８０Ａに沿って追従（及び「クリック」）する。ベースダイヤル６０Ａは、任意の他の適切な態様でもロックすることができる。ベースダイヤル６０Ａは、回転軸Ａで支持ポスト６６Ａの周りを回転する。
【００１９】
ダイヤルアッセンブリ１０Ａは、さらに、一次プリント回路基板（ＰＣＢ）９０Ａを含む。第１スイッチ９２Ａと第２スイッチ９６Ａ（図３）が、一次ＰＣＢ９０Ａに搭載される。スイッチ９２Ａ、９６Ａは、タクトスイッチ、又は双方向スイッチ、又は光センサ、又はベースダイヤル６０Ａの位置を検出する任意の他の適切なデバイスのような、任意の適切なスイッチとすることができる。第１及び第２スイッチ９２Ａ、９６Ａは、ベースダイヤル６０Ａが傾けられたとき、その傾き方向を識別するために、ベースダイヤル６０Ａによって押し込まれる。具体的には、図３を参照すると、ユーザがベースダイヤル６０Ａを傾き方向Ｔ１へ傾けたとき、ベースダイヤル６０Ａは、プッシュピン９４Ａに当接し、そのプッシュピン９４Ａが第１スイッチ９２Ａを駆動する。すると、第１スイッチ９２Ａは、ベースダイヤル６０Ａの傾き位置を制御モジュール２０に知らせる信号を制御モジュール２０に送信する。ユーザがベースダイヤル６０Ａを傾き方向Ｔ２に傾けたとき、ベースダイヤル６０Ａは、プッシュピン９８Ａに当接し、そのプッシュピン９８Ａが第２スイッチ９６Ａを駆動する。第２スイッチ９６Ａは、ユーザがベースダイヤル６０Ａを傾き方向Ｔ２に傾けたことを示す信号を制御モジュール２０に送る。ダイヤルアッセンブリ１０Ａが、（ダイヤルアッセンブリ１０Ｃのように）傾き方向Ｔ３、Ｔ４へも傾くように構成された場合、追加のスイッチが一次ＰＣＢ９０Ａに搭載され、ユーザがベースダイヤル６０Ａを方向Ｔ３、Ｔ４へ傾けたときに、ベースダイヤル６０Ａによって駆動されるように配置される。ユーザによるベースダイヤル６０Ａの傾きは、任意の適切なセンサ及び／又は加速度計を用いるなどして、任意の他の適切な態様でも検出することができる。
【００２０】
ダイヤルアッセンブリ１０Ａは、さらにロータリエンコーダ１１０Ａ（図３）を含み、それは、シャフトエンコーダ又はポテンショメータを含んでもよい。ロータリエンコーダ１１０Ａは、外側ダイヤル６２Ａと、二次、つまり衛星ＰＣＢ１１２Ａとの両方と協働する。このように、外側ダイヤル６２Ａの回転により、二次ＰＣＢ１１２Ａと協働するロータリエンコーダ１１０Ａが回転する。二次ＰＣＢ１１２Ａは、ユーザが外側ダイヤル６２Ａを回転した距離に相当する、ロータリエンコーダ１１０Ａの回転量に応じた信号を発生する。この信号は、直接、又は一次ＰＣＢ９０Ａを介して間接的に、制御モジュール２０へ送られる。二次ＰＣＢ１１２Ａは、二次ＰＣＢ１１２Ａから一次ＰＣＢ９０Ａへ信号を中継するために、任意の適切なコネクタ１２０Ａによってなど、任意の適切な態様で一次ＰＣＢ９０Ａに接続されることができる。この態様では、ユーザが外側ダイヤル６２Ａを方向Ｒ(時計回り又は反時計回りのいずれか)に回転する距離が計測され、制御モジュール２０に入力される。外側ダイヤル６２Ａの回転は、任意の他の適切なデバイスを用いることによっても計測することができる。
【００２１】
二次ＰＣＢ１１２Ａは、さらに、プッシュボタン６４Ａと一直線上に並ぶ、プッシュボタンスイッチ１１４Ａを含む。ユーザがプッシュボタン６４Ａを押したとき、プッシュボタン６４Ａは、直接又は間接的に、プッシュボタンスイッチ１１４Ａを駆動する。プッシュボタンスイッチ１１４Ａは、ユーザがプッシュボタン６４Ａを押したことを制御モジュール２０に知らせる制御モジュール２０への信号を発生する。プッシュボタンスイッチ１１４Ａからの信号は、制御モジュール２０に、直接又は二次ＰＣＢ１１２Ａ及びコネクタ１２０Ａを介して間接的に送ることができる。この形態では、制御モジュール２０は、ユーザがＨＭＩ１２にコマンドを入力するためプッシュボタン６４Ａを押下したときを検出する。
【００２２】
二次ＰＣＢ１１２Ａは、さらに、発光ダイオード（ＬＥＤ）などの照明素子１１６Ａを１つ以上含む。照明素子１１６Ａは、ダイヤルアッセンブリ１０Ａの任意の適切な特徴を照明するために任意の適切な位置に配置されることができる。例えば、照明素子１１６Ａは二次ＰＣＢ１１２Ａに搭載され、外側ダイヤル６２Ａを囲むグローリング１１８Ａを照明したり、あるいはプッシュボタン６４Ａのグラフィックまたはインジケータプリズムを照明したりするように配置されてもよい。
【００２３】
図５−７を参照すると、本開示による追加のダイヤルアッセンブリが、参照番号１０Ｂにて図示されている。ダイヤルアッセンブリ１０Ｂはダイヤルアッセンブリ１０Ａと類似しており、従って、類似する特徴は、図において、「Ａ」の代わりに添え字「Ｂ」を用いているが、同じ参照番号で示されている。ダイヤルアセンブリ１０Ａの説明は、それらの類似する要素に関して、ダイヤルアセンブリ１０Ｂを説明するのにも十分である。ダイヤルアッセンブリＡとは異なり、ダイヤルアッセンブリＢは、プッシュボタン６４Ａを含んでいない。代わりに、ダイヤルアッセンブリ１０Ｂは外側ダイヤル６２Ｂを覆うカバー６４Ｂ’を含む。カバー６４Ｂ’は押下できない。従って、ダイヤルアッセンブリ１０Ｂは、ダイヤルアッセンブリ１０Ａのプッシュボタンスイッチ１１４Ａを含んでいない。さらに、ダイヤルアッセンブリ１０Ｂは、ダイヤルアッセンブリ１０Ａの二次衛星ＰＣＢ１１２Ａを含まず、有利にも、組み立てが簡単になり、コストが低減される。
【００２４】
ダイヤルアッセンブリ１０Ｂは、一次ＰＣＢ９０Ｂと協働するロータリエンコーダ１５０Ｂを含む。アダプター１６０Ｂがロータリエンコーダ１５０Ｂに結合され、アダプター１６０Ｂはポスト１６２Ｂに結合される。ユーザによる外側ダイヤル６２Ｂの回転は、ポスト１６２Ｂの回転をもたらし、それは、アダプター１６０Ｂとロータリエンコーダ１５０Ｂを回転させる。ロータリエンコーダ１５０Ｂの回転が、ユーザがどのくらい外側ダイヤル６２Ｂを回転したかを示す制御モジュール２０への信号を発生するように、ロータリエンコーダ１５０Ｂは一次ＰＣＢ９０Ｂと協働する。
【００２５】
図８−１１を参照すると、本開示による追加のダイヤルアッセンブリが、参照番号１０Ｃにて図示されている。ダイヤルアッセンブリ１０Ｃはダイヤルアッセンブリ１０Ａと類似しており、従って、類似する特徴は、図において、「Ａ」の代わりに添え字「Ｃ」を用いているが、同じ参照番号で示されている。ダイヤルアセンブリ１０Ａの説明は、それらの類似する要素に関して、ダイヤルアセンブリ１０Ｃを説明するのにも十分である。ダイヤルアッセンブリ１０Ｃは、傾き方向Ｔ１、Ｔ２、Ｔ３、及びＴ４のそれぞれにユーザによって傾けられるように構成される。ダイヤルアッセンブリ１０Ｃは、ユーザによって方向Ｐに押されるように構成されておらず、従って、カバー６４Ｃ’は押下できない。
【００２６】
図９−１１を特に参照すると、ベース５０Ｃは、ボールジョイントのボール２１２Ｃを受け入れるレセプタクル２１０Ｃを画定する。ボール２１２Ｃは、ポスト２１４Ｃ（図１０、１１）に接続されている。スプリング２１６Ｃは、ポスト２１４Ｃ及びボール２１２Ｃを柔軟に取り付けており、それにより、ユーザがダイヤルアッセンブリ１０Ｃを方向Ｔ１、Ｔ２、Ｔ３、又はＴ４へ傾けたときに、ボール２１２Ｃが内外に移動することが許容され、それは、ボール２１２Ｃがレセプタクル２１０Ｃを通って移動できるようにし、ボール２１２Ｃを所望の傾き位置にロックする。ダイヤルアッセンブリ１０Ｃ（並びにダイヤルアッセンブリ１０Ａ、１０Ｂ）は、傾き位置Ｔ１、Ｔ２、Ｔ３、又はＴ４のいずれかにダイヤルを安定させるために適した任意の態様で配置される電磁石を含むことができる。ダイヤルアッセンブリ１０Ｃは、ベースダイヤル６０Ｃの傾き位置Ｔ１、Ｔ２、Ｔ３、又はＴ４を識別するために作動する任意の適切なスイッチ、センサ、加速度計、又は他のデバイスを含むことができる。例えば、主ＰＣＢ９０Ｃに搭載されたスイッチ２２０Ｃが、傾き方向を検出するために使用されることができる。傾き方向のフィードバックが、「クリック」フィードバックの形態のような任意の適切な態様で提供されることができる。「クリック」フィードバックは、レセプタクル２１０Ｃとボール２１２Ｃとの相互作用のような、任意の適切な態様で発生させることができる。
【００２７】
ダイヤルアッセンブリは、さらに、外側ダイヤル６２Ｃの回転軸にほぼ垂直に伸びて、外側ダイヤル６２Ｃの内部に画定された隆起部２５２Ｃと係合する、スプリングで付勢されたプランジャ２５０Ｃを含む。従って、ユーザが外側ダイヤル６２Ｃを回転したとき、プランジャ２５０Ｃは隆起部２５２Ｃに追従し、「クリック」の形態でのフィードバック又は任意の他の適切なフィードバックをユーザに提供する。
【００２８】
ダイヤルアッセンブリ１０Ｃは、さらに、例えば双方向スイッチ２５４Ｃ又はフォトエンコーダなどの任意の適切な回転検出装置を含む。双方向スイッチ２５４Ｃは、二次回路基板１１２Ｃに搭載され、外側ダイヤル６２Ｃの回転軸にほぼ垂直に伸びて、外側ダイヤル６２Ｃの内部に画定された隆起部２５２Ｃと係合する。従って、ユーザが外側ダイヤル６２Ｃを回転したとき、双方向スイッチ２５４Ｃは隆起部２５２Ｃに追従する。双方向スイッチ２５２Ｃは、隆起部２５２Ｃが横切って通過するときに信号を発生する。スイッチ２５４Ｃは、ダイヤルキャップ６４Ｃ’のような任意の他の領域と係るものであってもよい。外側ダイヤル６２Ｃの回転位置を示す信号は、回路基板１１２Ｃ、９０Ｃ及びその間にあるコネクタ１２０Ｃを介して、制御モジュール２０に送られる。
【００２９】
図１２は、エンコーダ２６０Ｃ及び歯車構造２６２Ｃの形態の、外側ダイヤル６２Ｃのための別の例示的な回転検出装置を示す。エンコーダ２６０Ｃは、二次回路基板１１２Ｃに搭載され、ダイヤルボデー６２Ｃと相互作用する歯車構造２６２Ｃの少なくとも１つの歯車と相互作用することができる。ダイヤルボデー６２Ｃの回転は、はブルマの回転を引き起こし、次に、エンコーダ２６０Ｃを回転させる。エンコーダ２６０Ｃは、回路基板１１２Ｃ、９０Ｃ及びその間に延びるコネクタ１２０Ｃを介して、ダイヤルボデー６２Ｃの回転位置に関する信号を制御モジュール２０に送る。
【００３０】
このように、本教示は、有利にも、ユーザが、傾き位置に応じた種々のコマンドをＨＭＩ１２に入力するために、傾き方向Ｔ１、Ｔ２、Ｔ３又はＴ４のように種々の方向に傾けることができる、（例えば、ダイヤルアッセンブリ１０Ａ、１０Ｂ及び１０Ｃを含む）傾き及び回転ダイヤルアッセンブリ１０を提供する。ユーザが所望の傾き位置にダイヤルアッセンブリ１０を傾けた後、ダイヤルアッセンブリ１０は、図１の中立位置に戻ることなく、選択された傾き位置でロックする。そして、ユーザは、外側ダイヤル６２Ａ、６２Ｂ、６２Ｃを回転することにより追加のコマンドを入力することができる。ダイヤルアッセンブリ１０は、有利にも、ベースダイヤル６０Ａ、６０Ｂ、６０Ｃの傾き位置、並びに外側ダイヤル６２Ａ、６２Ｂ、６２Ｃの回転に基づき、ユーザが、様々な異なるコマンドを入力できるようにする。ユーザは、プッシュボタン６４Ａ、又は任意の他の適切なプッシュボタンを押すことによって、さらに追加のコマンドを入力することができる。従って、ダイヤルアッセンブリ１０は、ＨＭＩ１２を通じて複数の異なる機能を操作するために必要なスイッチ及びダイヤルの数を減らし、他の用途のために車両のセンターコンソールに追加のスペースを明け渡す
【００３１】
上述した実施形態の説明は、例示及び説明の目的のために提供されている。それは、網羅的であることも、開示を限定することも意図するものではない。特定の実施形態の個々の要素や特徴は、一般に、その特定の実施形態に限定されることなく、具体的に図示または説明されなくとも、適用可能である場合、交換可能であり、選択された実施形態で使用することが可能である。同上のものはまた、多くのやり方で変更されてもよい。そのような変更は、本開示からの逸脱として見なすべきではなく、全てのそのような修正は、本開示の範囲内に含まれることが意図される。
【００３２】
本開示が完全なものとされ、またその範囲を当業者に十分に伝えるように、例示の実施形態が説明される。そして、具体的構成部品、装置、および方法の例などの、多数の具体的な詳細が、本開示の実施形態の完全な理解を提供するために説明される。しかし、具体的な詳細が採用される必要はなく、例示の実施形態は多くの異なる形で具現化されてもよく、いずれも本開示の範囲を限定すると解釈されるべきではないことが、当業者には明らかであろう。いくつかの例示の実施形態において、公知のプロセス、公知の装置構造、及び公知の技術は、詳細には説明されない。
【００３３】
本明細書で使用される用語は、単に特定の例示の実施形態を説明する目的のためのものであって、限定することを意図するものではない。本明細書で使用されるように、単数形「１つの（ａ）」、「１つの（ａｎ）」及び「その（ｔｈｅ）」は、文脈上明らかに単数形であることが示されない限り、複数形も同様に含むことを意図する場合がある。用語「備える（ｃｏｍｐｒｉｓｅｓ）」、「備えて（ｃｏｍｐｒｉｓｉｎｇ）」、「含んで（ｉｎｃｌｕｄｉｎｇ）」及び「有して（ｈａｖｉｎｇ）」は、包括的であり、それゆえ、記載される特徴、整数、工程、動作、要素、及び／又は構成要素の存在を特定するが、１つ以上の他の特徴、整数、工程、動作、要素、構成要素、及び／又はそれらの群の存在あるいは追加を排除しない。本明細書に記載される方法の工程、プロセス、及び動作は、実行の順序として具体的に特定されない限り、記載または説明される特定の順序でのそれらの実行を必然的に要求するものとして解釈されるべきではない。追加的又は代替的な工程が採用されてもよいことも理解されるべきである。
【００３４】
ある要素又は層が、別の要素又は層「の上に（ｏｎ）」あるか、別の要素又は層「に係合（ｅｎｇａｇｅｄ  ｔｏ）」するか、別の要素又は層「に接続（ｃｏｎｎｅｃｔｅｄ  ｔｏ）」するか、もしくは別の要素又は層「に結合（ｃｏｕｐｌｅｄ  ｔｏ）」するとして言及されるとき、それは、他の要素又は層の直接上にあるか、係合するか、接続するか、もしくは結合する場合があり、あるいは介在する要素又は層が存在する場合がある。対照的に、要素が、別の要素又は層「の直接上に（ｄｉｒｅｃｔｌｙ  ｏｎ）」あるか、「に直接係合（ｄｉｒｅｃｔｌｙ  ｅｎｇａｇｅｄ  ｔｏ）」するか、「に直接接続（ｄｉｒｅｃｔｌｙ  ｃｏｎｎｅｃｔｅｄ  ｔｏ）」するか、もしくは「に直接結合（ｄｉｒｅｃｔｌｙ  ｃｏｕｐｌｅｄ  ｔｏ）」するとして言及される場合、介在する要素または層は存在しない場合がある。要素間の関係を説明するために使用される他の言葉は、同様の方式で解釈されるべきである（例えば、「〜間で（ｂｅｔｗｅｅｎ）」に対する「直接〜間で（ｄｉｒｅｃｔｌｙ  ｂｅｔｗｅｅｎ）」、「隣接して（ａｄｊａｃｅｎｔ）」に対する「直接隣接して（ｄｉｒｅｃｔｌｙ  ａｄｊａｃｅｎｔ）」など）。本明細書で使用されたように、用語「及び／又は」は、関連して列挙される項目の１つ以上の、任意および全ての組み合わせを含む。
【００３５】
第１、第２、第３などの用語が、様々な要素、構成部品、領域、層、及び／又は区域を説明するために本明細書で使用される場合があるが、これらの要素、構成部品、領域、層、及び／又は区域は、それらの用語によって限定されるべきではない。これらの用語は、単に、１つの要素、構成部品、領域、層、又は区域を、別の領域、層、又は区域から区別するためにのみ使用される場合がある。「第１」、「第２」などの用語、及び他の数値的用語は、本明細書で使用する場合、文脈上明らかな指定がない限り、配列又は順序を示唆するものではない。従って、説明される第１の要素、構成部品、領域、層、又は区域は、例示的な実施形態の教示から逸脱することなく、第２の要素、構成部品、領域、層、又は区域と呼ばれる可能性がある。
【００３６】
「内側（ｉｎｎｅｒ）」、「外側（ｏｕｔｅｒ）」、「下（ｂｅｎｅａｔｈ）」、「下方（ｂｅｌｏｗ）」、「底部（ｌｏｗｅｒ）」、「上方（ａｂｏｖｅ）」、「上部（ｕｐｐｅｒ）」などのような、空間的に相対的な用語が、図示されるような、１つの要素又は特徴部の、別の要素又は特徴部に対する関係性を説明する、説明の容易性のために本明細書で使用される場合がある。空間的に相対的な用語は、図示される配向に加えて、使用時または動作時の装置の、異なる配向を包含することを意図する場合がある。例えば、図中の装置が反転された場合には、他の要素又は特徴部の「下方」もしくは「下」として説明される要素は、他の要素又は特徴部の「上方」に配向されることになる。それゆえ、例示的用語「下方」は、上方および下方の双方の配向を包含する可能性がある。装置は、他の方向に向けられて（９０度または他の方向に回転）もよく、本明細書で使用される空間的に相対的な記述語は、適宜に解釈される。
【図１】
2018120850.tif 000003
【図２】
2018120850.tif 000004
【図３】
2018120850.tif 000005
【図４】
2018120850.tif 000006
【図５】
2018120850.tif 000007
【図６】
2018120850.tif 000008
【図７】
2018120850.tif 000009
【図８】
2018120850.tif 000010
【図９】
2018120850.tif 000011
【図１０】
2018120850.tif 000012
【図１１】
2018120850.tif 000013
【図１２】
2018120850.tif 000014
【外国語明細書】
2018120850000001.pdf